(57)【特許請求の範囲】
【請求項１】
枠状のフレームに平板状の機能部材を支持してなる機能パネルを建物の屋根上に設置される架台に固定する機能パネル固定具であって、
前記機能パネル固定具は、前記架台に固定される固定部を備えると共に、該固定部から離間した位置に前記機能パネルのフレームを保持する保持部を備えており、
前記保持部は、互いに対向して前記フレームを挟み込む一対の脚部と、該脚部を締結する締結具とを備え、各脚部は、前記フレームを挟み込む挟込み部と、該挟み込み部に前記フレームを挟持する力を付与すべく前記締結具に締結される被締結部とを備えており、
前記フレームには、前記機能パネルの下方に向けて突出する係止片が設けられており、前記保持部の一対の脚部は、前記係止片を上下から挟み込む上下一対として形成されている
ことを特徴とする機能パネル固定具。
【請求項２】
前記上下一対の脚部のうち、上側の脚部は前記係合部から前記被締結部に亘って平板状に形成されると共に、下側の脚部は、前記係合部と前記被締結部との間に、前記締め付け力の付与に伴って前記係止片の先端部に擦り付けられる傾斜面を備えている
ことを特徴とする請求項１に記載の機能パネル固定具。
【請求項３】
前記下側の脚部は、前記フレームの下面から外面に回り込んでこれら下面と外面に密着する鉤状部を備えている
ことを特徴とする請求項２に記載の機能パネル固定具。
【請求項４】
前記一対の脚部は、それぞれ別体に形成されており、上側の脚部が延在して前記架台に固定されている
ことを特徴とする請求項１乃至請求項３のいずれかに記載の機能パネル固定具。
【発明の詳細な説明】
【技術分野】
【０００１】
本発明は、機能パネル固定具に関する。さらに詳述すると、本発明は、陸屋根の表面や、コンクリートやレンガを敷設した地面の上面に設置される機能パネルを固定する構造の改良に関する。
【背景技術】
【０００２】
従来、陸屋根の表面や、コンクリートやレンガを敷設した地面の上面に設置される太陽光発電装置は、鉄やアルミニウムなどのレールを組み合わせた設置架台に太陽電池モジュールを配置することによって構成されていた。
【０００３】
例えば特許文献１の太陽光モジュール取付構造は、架台の長手方向に沿ってスライド可能に外嵌して、太陽電池モジュールの外周枠に係合する係合体と、この係合体を架台に固定するための固定体とを備え、係合体は、そのスライド方向に延びる長穴を有し、固定体は、係合体の長穴に根角部を係合して回転不能とした状態で、係合体の長穴及び架台のボルト挿通用穴に挿通する根角ボルトと、この根角ボルトに螺合するナットとからなり、係合体を介して架台に固定体を仮止めしておき、太陽光モジュールを架台に設置すると共に係合体を外周枠に向けてスライドさせて係合させ、その後、固定体を本締めして係合体を固定する構造として開示されている。
【先行技術文献】
【特許文献】
【０００４】
【特許文献１】特開２０１１−４３０１８号公報
【発明の概要】
【発明が解決しようとする課題】
【０００５】
しかしながら、特許文献１に開示の構成においては、太陽光モジュールへの係合体への留付けと係合体の架台への固定とが固定体の架台への本締めによって同時に実現される構成であるため、固定体の締め付けが重要な作業工程となるが、当該固定体は太陽光モジュールの下方に位置するために視認できず、また、特に太陽光モジュールの前部にあっては屋根面や架台のフレームに著しく近接した位置になるため太陽光モジュールの下方に顔をのぞかせるのは著しく困難となり、視認困難な状況での作業となるために施工不良につながりやすいという問題があった。
【０００６】
具体的には、太陽光モジュールの下方に金具がかくれた状態で当該金具をフレームに向けて前進させ、それによってフレームに金具を係合させる構成であるため、当該作業を目視しながら行うことが著しく困難な状況下では、金具のフレームへの係合が不十分な状態で、ボルトを本締めしてしまう虞がある。これによって、太陽光モジュールの架台への固定が不十分となってしまう虞や、塗装が剥がれず、金属素地同士の接触状態を形成できない虞がある。
【０００７】
そこで、本発明は、機能パネルへの固定も架台への固定も確実に行うことができる機能パネル固定具を提供することを目的とする。
【課題を解決するための手段】
【０００８】
（１）上記課題を解決すべく、本発明は、枠状のフレームに平板状の機能部材を支持してなる機能パネルを建物の屋根上に設置される架台に固定する機能パネル固定具であって、前記架台に固定される固定部を備えると共に、該固定部から離間した位置に前記機能パネルのフレームを保持する保持部を備えていることを特徴とする。
【０００９】
本発明によれば、固定部と保持部とがそれぞれ別々に設けられているので、機能パネルの保持と機能パネルの架台への固定とを別々に行うことができる。具体的には、固定具を機能パネルに取り付けた後、改めて固定部を架台に固定することができ、又はその逆もできる。これによって、何れの施工も確実に行うことができ、施工精度（施工性）の向上が図られる。
【００１０】
（２）また、本発明に係る機能パネル固定具において、前記保持部は、互いに対向して前記フレームを挟み込む一対の脚部と、該脚部を締結する締結具とを備え、各脚部は、前記フレームを挟み込む挟込み部と、該挟み込み部に前記フレームを挟持する力を付与すべく前記締結具に締結される被締結部とを備えていることが好ましい。
【００１１】
これによれば、脚部の挟み込み部間にフレームを挟みこんで被締結部に締結具による挟持力が付与されることにより、一対の脚部の挟み込み部間に機能パネルを固定することができ、施工性の向上が図られる。
【００１２】
（３）また、前記フレームには、前記機能パネルの下方に向けて突出する係止片が設けられており、前記保持部の一対の脚部は、前記係止片を上下から挟み込む上下一対として形成されていることが好ましい。
【００１３】
これによれば、保持部を機能パネルの係止片に取り付けた状態では保持部が機能パネルの機能部材下方に位置することとなり、機能パネルの外周への突出は回避される。これによって、外観意匠性が向上すると共に、保持部への雨水の直接的な接触は可及的回避され、水仕舞い性の向上も図られるのみならず、フレームの防錆効果が高められて当該フレームの延命に繋がる。
【００１４】
（４）また、前記上下一対の脚部のうち、上側の脚部は前記係合部から前記被締結部に亘って平板状に形成されると共に、下側の脚部は、前記係合部と前記被締結部との間に、前記挟持する力の付与に伴って前記係止片の先端部に擦り付けられる傾斜面を備えていることが好ましい。
【００１５】
これによれば、被締結部への挟持する力の付与にともなって傾斜面が係合片の先端部にこすり付けられ、これによって、当該係合片先端部の塗料が剥げて金属素地が現れ、当該金属素地に下方の脚部が接触することとなる。このため、機能パネルのアースを別途設ける必要がない。
【００１６】
（５）また、前記下側の脚部は、前記フレームの下面から外面に回り込んでこれら下面と外面に密着する鉤状部を備えていることが好ましい。
【００１７】
これによれば、下方の脚部が係止片に対向接触するのみならず、フレームの下面及び前面も密着した状態となるので、下方の脚部の取り付け姿勢を安定させることができ、この結果、一対の脚部に対するフレーム（係止片）の取り付け姿勢をも安定させることができるものとなっている。
【００１８】
（６）さらに、前記一対の脚部は、それぞれ別体に形成されており、上側の脚部が延在して架台に固定されていることが好ましい。
【００１９】
これによれば、フレームに一方の脚部を対向させた後、他方の脚部を係止片に対向させることで脚部間へのフレームの位置づけを行うことができ、脚部間へのフレーム体の設置が著しく容易となる。また、機能パネルに吹上げ力が作用する場合でも、当該吹上げ力は上側の脚部を介して架台に伝達されることとなり、十分に抵抗することができる。
【発明の効果】
【００２０】
本発明によれば、機能パネルへの固定も架台への固定も確実に行うことができる。
【図面の簡単な説明】
【００２１】
【図１】本発明の一実施形態に係る機能パネル支持架台の全体を示す斜視図である。
【図２】機能パネルを支持する固定ピース等の構成例を示す機能パネル支持架台の側面図である。
【図３】両端部を支柱から突出させた第１姿勢の連結部材および該連結部材の両端部に連結される長尺部材を示す斜視図である。
【図４】連結部材および該連結部材に連結される長尺部材を示す側面図である。
【図５】両端部を支柱から突出させた第１姿勢の連結部材および該連結部材の両端部に連結される長尺部材を示す正面図である。
【図６】一方の端部のみを支柱から突出させた第２姿勢の連結部材および該連結部材の（Ａ）一方の端部、（Ｂ）他方の端部に連結される長尺部材を示す斜視図である。
【図７】一方の端部のみを支柱から突出させた第２姿勢の連結部材および該連結部材の一方の端部に連結される長尺部材を示す正面図である。
【図８】縦フレーム体に対し、２本の横フレーム体を、各端面を突き合わせるようにした状態で連続するように締結した状態を示す斜視図である。
【図９】縦フレーム体に対し、２本の横フレーム体を、各端面を突き合わせるようにした状態で連続するように締結した状態を示す側面図である。
【図１０】縦フレーム体に対し、横フレーム体を１本のみ締結した状態を示す斜視図である。
【図１１】縦フレーム体に対し、横フレーム体を１本のみ締結した状態を示す側面図である。
【図１２】後固定ピースの斜視図である。
【図１３】前固定ピースの斜視図である。
【図１４】前側の機能パネル固定具およびその周辺の構成例を示す側面図である。
【図１５】前側の機能パネル固定具およびその周辺の構成例を横フレーム体等とともに示す側面図である。
【図１６】前側の機能パネル固定具の周辺における機能パネル等の構成例を示す斜視図である。
【図１７】後側の機能パネル固定具およびその周辺の構成例を示す側面図である。
【図１８】後側の機能パネル固定具およびその周辺の構成例を横フレーム体等とともに示す側面図である。
【図１９】後側の機能パネル固定具の周辺における機能パネル等の構成例を示す斜視図である。
【発明を実施するための形態】
【００２２】
以下、図面を参照しつつ本発明に係る機能パネル支持架台の実施形態について詳細に説明する。
【００２３】
図１〜図１９に、本発明の実施形態を示す。本発明に係る機能パネル固定具６は、機能パネル１０を建物の屋根８上に設置される機能パネル支持架台１に固定するための固定具である。以下では、まず機能パネル支持架台１の構成例について説明し、その後、機能パネル固定具６の具体的構成や、これを用いて機能パネル１０を機能パネル支持架台１へ固定する際の具体例を説明する。
【００２４】
本発明に係る機能パネル支持架台１は、建物の屋根８に突出状に設けられる支柱９上に設置され、当該屋根８上に太陽光モジュールなどの機能パネル１０を支持する架台であり、縦フレーム体２、横フレーム体５などを備えている。
当該屋根８は所定の水勾配を有する陸屋根として形成されている。
また、機能パネル１０は、本実施形態では太陽光モジュールであるが、太陽熱パネル等の他のパネルを採用することも可能である。
【００２５】
機能パネル１０は、枠状のフレーム１１により、平板状の機能部材１２を支持した構造となっている（図１６等参照）。機能部材１２は例えば太陽電池モジュールであり、この場合の機能パネル１０は太陽光モジュールを構成する。
【００２６】
機能パネル１０の支持形態は特に限定されるものではないが、本実施形態では、複数の機能パネル１０を水平面に対しそれぞれ同程度（一例として、１０°）傾斜させた状態で並べて支持するようにしている（図１参照）。
なお、本明細書では、太陽に向け傾斜させている機能パネル（太陽光モジュール）１０のうち、太陽に向けて低くなっている方を前側、これとは逆に高くなっている方を後側ともいう（図２等参照）。また、当該前側〜後側間の方向を屋根８の縦方向と称し、当該縦方向に直行する方向を屋根８の横方向と称する。
【００２７】
また、本実施形態では、横フレーム体５に留め付けられて機能パネル１０の前部分を支持する前固定ピース３と、同じく横フレーム体５に留め付けられて機能パネルの後部分を支持する後固定ピース４とによって機能パネル１０が支持されており、前固定ピース３よりも後固定ピース４のせいの高さを高くすることで機能パネル１０を傾斜させている（図２、図１２、図１３参照）。
【００２８】
縦フレーム体２は、機能パネル支持架台１を構成するフレーム体の一部で、屋根８の縦方向に並ぶ支柱９に架設されている（図４等参照）。本実施形態の縦フレーム体２は、長尺部材２０と、連結部材３０とを備えたフレーム体として構成されている。縦フレーム体２の長尺部材２０は、支柱９間に架設される長尺の部材で、長手方向を屋根８の縦方向に一致させて設置される（図２等参照）。縦フレーム体２の連結部材３０は、例えばボルト・ナットからなる締結手段４０によって支柱９上に取り付けられる部材で（図４等参照）、長尺部材２０の端部２０ａを支持する（図５等参照）。これら長尺部材２０および連結部材３０によって構成される縦フレーム体２には、横フレーム体５が架設される。
【００２９】
縦フレーム体２の連結部材３０は、立上り壁３１、設置部３２および座部３３を備えるチャネル形状のジョイント金物によって構成される。座部３３は、支柱９に固定される板状部分である。立上り壁３１は、該座部３３から、支柱９の上面に立ち上がるように形成されている例えば板状の部分である。設置部３２は、該立上り壁３１の上端部に形成された板状部分である。
【００３０】
縦フレーム体２の長尺部材２０は、連結部材３０の立上り壁３１と設置部３２に重なり合う開断面形状を呈している。長尺部材２０の具体的形状は特に限定されないが、例えば本実施形態では、長尺部材２０の断面形状をチャネル形状とし、載置部２１、重ね合わせ部２２、さらに強度増強部２３を形成している（図３〜図７等参照）。
【００３１】
長尺部材２０の載置部２１は、連結部材３０の設置部３２上に載置される板状の部分である。載置部２１には、横フレーム体５を締結するための透孔２１ａが形成されている（図１０等参照）。重ね合わせ部２２は、該載置部２１を設置部３２上に載置したときに連結部材３０の立上り壁３１に重なり合うように形成された板状の部分である。さらに、強度増強部２３は、当該長尺部材２０の剛性を高めるべく重ね合わせ部２２の下端側でリブ状に折り曲げられた板状部分として形成されている。これにより、重ね合わせ部２２の表裏方向の曲げに対する抵抗力を向上させることができる。
【００３２】
さらに本実施形態の長尺部材２０は、載置部２１と強度増強部２３の端面にそれぞれ形成されたリブ状の折り返し部２４，２５を有している（図４等参照）。これら折り返し部２４，２５は、長尺部材２０の剛性をさらに高める。また、載置部２１の端部に形成された折り返し部２４は、連結部材３０の設置部３２上に載置部２１を載せただけの長尺部材２０の仮置き時、長尺部材２０がずれた際に設置部３２の端面に引っ掛かることにより、当該長尺部材２０が滑落するのを回避して仮置き状態を維持する。
【００３３】
さらに、長尺部材２０は、連結部材３０よりも高いせいを有するように、換言すれば鉛直方向高さが連結部材３０のそれよりも大きくなるように形成されている。これにより、長尺部材２０の軸心における垂直な方向の曲げに対する抵抗力を著しく向上させることができる。本実施形態では、このような長尺部材２０を、当該長尺部材２０の下端部が連結部材３０よりも下方に延在した状態で連結部材３０に連結させている（図３〜図７等参照）。
【００３４】
上述のごとき長尺部材２０は、連結部材３０に対して、例えば端部２０ａに形成された透孔２０ｃにボルト・ナットからなる締結手段４１を通して締めることでピン接合として締結され、支柱９間に架設される（図４等参照）。ここで、連結部材３０は、機能パネル支持架台１が設置される領域における支柱９（および当該連結部材３０）の位置にかかわらず同一構造となっていれば、汎用性が高く、コスト面で有利である。すなわち、パネル設置領域内（端部ではない位置）に位置する支柱９上の連結部材３０に対しては当該連結部材３０の両側に長尺部材２０を締結し（図３〜図５参照）、パネル設置領域の端部に位置する支柱９上の連結部材３０に対しては当該連結部材３０の片側にのみ長尺部材２０を締結する場合（図６、図７参照）、１種類の連結部材３０で対応することができれば便宜である。こうした場合には、パネル設置領域の端部寄りに配置される連結部材３０と中央寄りに配置される連結部材３０との共通化が図られ、部材の種類の低減につながる。
【００３５】
この点、本実施形態では、連結部材３０の座部３３に、長尺部材２０に連結される両端部を支柱９から突出させた第１姿勢（図３、図５参照）で支柱９に固定される第１固定部３３ａと、長尺部材２０に連結される一方の端部のみを支柱９から突出させた第２姿勢（図６、図７参照）で支柱９に固定される第２固定部３３ｂとを設け、さらに、連結部材３０の端部には、第１姿勢のときに長尺部材２０に連結される第１連結部３０ａと、第２姿勢のときに長尺部材２０に連結される第２連結部３０ｂとを設けている。第１姿勢の連結部材３０は、その両端部を支柱９の両側にほぼ同量ずつ突出させた状態となり、両端部のいずれにも長尺部材２０の端部２０ａを同様に締結することができるようになっている（図３、図５参照）。また、第２姿勢の連結部材３０は、長尺部材２０に連結される一方の端部のみを支柱９から突出させ、他方の端部は支柱９から突出させないので、機能パネル支持架台１の特に端部からの部材の突出を抑え、外観を向上させることができる。
【００３６】
機能パネル支持架台１を構成する横フレーム体５は、縦フレーム体２とともに機能パネル支持架台１を構成するフレーム体の一部で、該縦フレーム体２上に架設される（図８〜図１１等参照）。本実施形態の横フレーム体５は、機能パネル１０の前側と後側とのいずれにも設置可能な形状であり、これによって汎用性を高め、部材点数を減らせるようになっている（図２参照）。
【００３７】
本実施形態の横フレーム体５は、断面が傾斜状の上面５ａと、該上面５ａの端部からそれぞれ延在する一対の両側面５ｂとを有するチャネル形状となるように折り曲げられた板状部材によって形成されている。また、両側面５ｂの下端部は外側に折り曲げられて折り曲げ底部５ｃとされ、該折り曲げ底部５ｃの長手方向端部には透孔５ｄが形成されている（図８、図１０参照）。この透孔５ｄおよび縦フレーム体２の透孔２１ａにボルト・ナットからなる締結手段４２を通して締めることで、横フレーム体５を縦フレーム体２の長尺部材２０の載置部２１に締結することができる（図８〜図１１参照）。
【００３８】
また、本実施形態では、縦フレーム体２に対し、２本の横フレーム体５を、各端面を突き合わせた状態で連続するように締結されている（図８、図９参照）。この場合、縦フレーム体２には、各縦フレーム体２に対応した計２組の透孔２１ａが形成されており、各組の透孔２１ａと締結手段４２を利用して横フレーム体５が締結される（図９参照）。このような構造の機能パネル支持架台１においては、縦フレーム体２に対し横フレーム体５を１本のみ取り付けることも当然に可能であるため（図１０、図１１参照）、縦フレーム体２および横フレーム体５の配置にかかわらず、同一構造の縦フレーム体２および同一構造の横フレーム体５を採用して部材の種類低減につなげることができる。
【００３９】
また、横フレーム体５の上面５ａは、機能パネル１０の設置角度と同等の傾斜が付された斜面によって形成されている。このような斜面からなる上面５ａは、前側の横フレーム体５においては機能パネル１０と同等に傾斜するほか、後側の横フレーム体５においては雨水が溜まるのを抑止するという機能も発揮する（図２等参照）。
【００４０】
続いて、機能パネル固定具６の具体的構成や、これを用いて機能パネル１０を機能パネル支持架台１へ固定する際の具体例について説明する（図１４〜図１９参照）。
【００４１】
機能パネル固定具６は、機能パネル１０を機能パネル支持架台１に固定するための固定部６１、保持部６２等を備えた固定具であり、機能パネル１０の前側と後側とにそれぞれ設けられている（図１５等参照）。
【００４２】
固定部６１は、機能パネル支持架台１に固定される部分である。前側の機能パネル固定具６における固定部６１は、前側の横フレーム体５の側面５ｂに対し、ボルトやナット等からなる締結手段４３によって締結される（図１５等参照）。また、後側の機能パネル固定具６における固定部６１は、後側の横フレーム体５の上面５ａに対し、ボルトやナット等からなる締結手段４３によって締結される（図１８等参照）。
【００４３】
保持部６２は、該固定部６１から離間した位置において、機能パネル１０のフレーム１１を保持する部分である。例えば本実施形態の保持部６２は、互いに対向してフレーム１１を挟み込むように互いに別体に形成された一対の脚部６３，６３’と、当該一対の脚部に挟持力を付与する締結具４４とを備えている。
これら脚部６３，６３’は、フレーム１１に係合する挟み込み部６３ａと、フレーム１１を挟み込んだ両挟み込み部６３ａに締付け力を付与する被締結部６３ｂとを備えている（図１４、図１７等参照）これら脚部のうち、前側の脚部６３は前固定ピース３として、後側の脚部６３’は後固定ピース４としてそれぞれ機能する。
【００４４】
また、本実施形態において、機能パネル１０のフレーム１１には、機能パネル１０の下方に向けて突出する係止片１１ａが形成されている。このようなフレーム１１に対し、一対の脚部６３，６３’は、当該係止片１１ａを上下から挟み込む上下一対として形成されている（図１４、図１７等参照）。本実施形態の脚部６３，６３’の被締結部６３ｂとしてこれら一対の脚部６３，６３’には透孔が形成されており、ボルト・ナットからなる締結具４４としてのボルトをこれら透孔に通して締結することにより、機能パネル１０の係止片１１ａを上下から挟み込んだ状態で固定される。なお、このような締結具４４としては、上記ボルト・ナット等からなる締結手段の他、コイルスプリング等の付勢手段、あるいはボルト・ナット等に付勢手段を組み合わせた手段などを利用して脚部６３，６３’に締め付け力を付与するようにしてもよい。
【００４５】
また、上下一対の脚部６３，６３’のうち、上側の脚部６３は挟み込み部６３ａから被締結部６３ｂに亘って平板状に形成されると共に、下側の脚部６３’は、挟み込み部６３ａと被締結部６３ｂとの間に、当該被締結部６３ｂから挟み込み部６３ａに向けて下り傾斜状に傾斜部が設けられている。当該傾斜部の傾斜面６３ｃは、機能パネル１０の係止片１１ａに当接するのみならず、締結具４４による一対の脚部６３，６３’への締め付け力の付与に伴って係止片１１ａの先端部に擦り付けられるものとなる。
また、下方の脚部６３’は、フレーム１１の下面から外面に回り込んでこれら下面と外面に密着する鉤状部６３ｄを備えている（図１４、図１６等参照）。
【００４６】
このような本実施形態の機能パネル固定具６によれば、固定部６１と保持部６２とがそれぞれ別々に設けられているので、機能パネル１０の保持と機能パネル１０の機能パネル支持架台１への固定とを別々に行うことができる。
【００４７】
また、本実施形態の機能パネル固定具６によれば、脚部６３，６３’の挟み込み部６３ａ間にフレーム１１を挟みこみ、被締結部６３ｂに締付力を付与するだけで機能パネル１０に当該機能パネル固定具６を固定することができる。また、下側の脚部６３’には、被締結部６３ｂと挟込み部６３ａとの間に傾斜部（傾斜面６３ｃ）が設けられ、且つ、挟み込み部６３ａの先端部には機能パネル１０のフレーム１１の外面に当接する鉤状部６３ｄが設けられているため、下側の脚部６３’は少なくとも当該傾斜部と鉤状部６３ｄの２箇所で線接触（或いは面接触）することとなり、フレーム１１の設置状態をきわめて安定させることができるものとなっている。さらには、被締結部６３ｂへの締付力の付与にともなって傾斜面６３ｃが係止片１１ａの先端部にこすり付けられ、これによって、当該係止片１１ａの先端部の塗料が剥げて金属素地が現れ、当該金属素地に下方の脚部６３’が接触した状態となる。この結果、機能パネル１０の機能部材１２は、フレーム１１、脚部６３，６３’、固定部６１、横フレーム体５、縦フレーム体２等を介して屋根８の支柱９と電気的に導通した状態となるから、機能パネル１０用のアースを別途設ける必要がない。
また、当該金属素地が表れる部位は、機能パネル１０の機能部材の下方であって一対の脚部６３，６３’に上下から覆われた状態にあり、機能パネル１０の外周への突出は回避される。これによって、機能パネル支持架台１と機能パネル１０間との連結部分の外形が単純化され、外観意匠性が向上するのみならず、水仕舞いの向上が図られる。また、下側の脚部６３’の鉤状部６３ｄが締結具４４による一対の脚部６３，６３’の締結によりフレーム１１のおもて面に密着するものであるので、降水等がある場合でも当該金属素地への雨水等の接触は可及的抑制され、ひいては当該箇所からの錆等も抑制されるものとなっているのである。
【００４８】
また、機能パネル１０のフレーム１１の係止片１１ａに対し上側の脚部６３が延在して架台１のフレーム１１に固定される構成である。このため、機能パネル１０に吹上げ力が作用する場合でも、当該吹上げ力は上側の脚部６３を介して架台１に伝達されることとなり、当該吹き上げ力に対し十分な抵抗力が発揮されるものとなる。
【００４９】
なお、上述の実施形態は本発明の好適な実施の一例ではあるがこれに限定されるものではなく本発明の要旨を逸脱しない範囲において種々変形実施可能である。
【産業上の利用可能性】
【００５０】
本発明は、屋根に突出状に設けられる支柱上に設置されて屋根上に機能パネルを支持する機能パネル支持架台に適用して好適である。
【符号の説明】
【００５１】
１…機能パネル支持架台（架台）、６…機能パネル固定具、８…屋根、９…支柱、１０…太陽光モジュール（機能パネル）、１１…（機能パネルの）フレーム、１１ａ…（フレームの）係止片、１２…（機能パネルの）機能部材、４４…締結具、６１…固定部、６２…保持部、６３，６３’…脚部、６３ａ…挟み込み部、６３ｂ…被締結部、６３ｃ…傾斜面、６３ｄ…鉤状部
【図１】
0005930695.tif 000002
【図２】
0005930695.tif 000003
【図３】
0005930695.tif 000004
【図４】
0005930695.tif 000005
【図５】
0005930695.tif 000006
【図６】
0005930695.tif 000007
【図７】
0005930695.tif 000008
【図８】
0005930695.tif 000009
【図９】
0005930695.tif 000010
【図１０】
0005930695.tif 000011
【図１１】
0005930695.tif 000012
【図１２】
0005930695.tif 000013
【図１３】
0005930695.tif 000014
【図１４】
0005930695.tif 000015
【図１５】
0005930695.tif 000016
【図１６】
0005930695.tif 000017
【図１７】
0005930695.tif 000018
【図１８】
0005930695.tif 000019
【図１９】
0005930695.tif 000020